(57)【要約】【課題】手差し給紙口などから、両面印刷や多重印刷をする場合に、紙自身に識別情報を記録し、プリンタ側で識別情報を解析して印刷制御を行う。【解決手段】印刷時、第一回目に印刷すべき情報と共に、第Ｎ回目（２，３，４，・・Ｎ−１，Ｎ）を印字するための識別コード情報を余白部に印字し、第Ｎ回目のメディア挿入時にその識別コード情報を読み取って、印刷制御を行う。【選択図】　　　　図１
2004034294.tif 000002
【特許請求の範囲】
【請求項１】
両面もしくは多重印刷時に、第２回以降の印刷制御情報を、第１回目の印刷内容と同時期に
記録し、２回目以降の印刷時に印刷制御情報を再取得し印刷を行うことを特徴とする
両面／多重印刷装置およびその方法。
【請求項２】
前記請求項１における印刷装置において、紙の挿入方向に関する印刷制御情報を読み込んで、紙の挿入方向が正しいかを判別することを特徴とする
両面／多重印刷装置およびその方法。
【請求項３】
前記請求項１における印刷装置において、紙の特性に関する印刷制御情報を読み込んで、
紙の特性に合致したインクの塗布量、スピード、を制御することを特徴とする
両面／多重印刷装置およびその方法。
【請求項４】
前記請求項１における印刷装置において、印刷制御情報を読み込んで、印刷する内容に合致した印刷モードを選択することを特徴とする
両面／多重印刷装置およびその方法。
【請求項５】
前記請求項１における印刷装置において、印刷制御情報を読み込んで、印刷する内容を
あらかじめ用意されたテーブルから取得し印刷することを特徴とする
両面／多重印刷装置およびその方法。
【請求項６】
前記請求項１における印刷装置において、印刷制御情報を透明塗料で
印刷紙上に記録することを特徴とする
両面／多重印刷装置およびその方法。
【発明の詳細な説明】
【０００１】
【発明の属する技術分野】
本発明は、インクジェットプリンタ等において、手差し給紙口などから、両面印刷や多重印刷をする場合に、紙自身に識別情報を記録し、プリンタ側で識別情報を解析して印刷制御を行い、誤動作を防止することに関するものである。
【０００２】
【従来の技術】
年賀はがきなどで両面および写真や文字等を多重印刷する場合、裏表、上下方向等、紙の挿入方向を間違えないことが必要であり、さらには紙の特徴にあった印刷制御が必要であり、さらには画像情報によっては、文字、写真、絵などの印刷モード指定する必要があり、さらには、宛先によって、年始のあいさつの言葉を変えたりする必要があり、それらの操作に人間が介在することで、裏表を確実に印刷することが困難であった。
【０００３】
また特開平１０−２４４７２８号公報に開示されているように、シール紙そのものに穴を開けるなどして、あらかじめ印刷するコマ数、方向などを情報として記録しておき、印刷時に制御情報を取得しシール紙に適合した印刷制御をする方式がある。
【０００４】
【発明が解決しようとする課題】
しかしながら、上記先頭では、紙そのものにあらかじめ穴をあける等の制約があった。
【０００５】
また、プリンタの手差し口にはいろんな方向にいろんな紙をセットすることが可能であり、マニュアル操作で両面、多重印刷をする場合で、かつ第２回目以降の印字を行う上において、人の手が介在する以上、紙の絵紙方向、印刷制御を間違わずに正確に行う事は困難であり、用紙のセット方向を間違えれば、高価なはがき紙が無駄になり、また、印刷制御を正確に行わなければ、特殊（コーティング年賀はがき）紙のもつ特徴を最大限引き出すことができず、かつ２回目以降の印刷時の印刷順序を間違えば、特定の宛名に対して、まちがったあいさつ文を印刷するなどの問題もあった。
【０００６】
本出願にかかる発明の目的は、第２回目以降の印刷時に給紙方向の誤操作を検知し防ぐとともに、紙質にあった適切な印刷制御を行い、文字情報、画像写真情報に合致した印刷制御することを目的とするものである。
【０００７】
【課題を解決するための手段】
上記目的を達成するため、本出願にかかる第１の発明は、印刷時、第１回目に印刷すべき情報とともに、１枚のみで両面印刷を行う場合１回目の印刷時に２回目以降の印刷のための識別コードを余白部に印刷し、裏面のメディア挿入時にその識別コードを読み取ってそのメディアのセット状態を確認し、紙の挿入方向を判断することを特徴とする。
【０００８】
本出願にかかる第２の発明は、第１回目に印刷する印刷制御情報を視覚で認知できないもので実現することを特徴とするものである。
【０００９】
本出願にかかる第３の発明は、アルバム等の複数部数の両面印刷を連続して行う場合に裏面と表面の印刷順序がことなる場合に、表面にある印刷制御情報をもとに裏面に印刷すべき内容を取得し、印刷することを特徴をする。
【００１０】
【発明の実施の形態】
（第１の実施形態）
はじめに、本発明を適用する画像処理装置の全体構成を図１を用いて説明する。
【００１１】
図１は本発明を適用する画像処理装置としてのパーソナルコンピュータのブロック構成図である。ＣＰＵ１０１は装置の全体制御を司る演算処理装置、ディスプレイ１０２は画像処理を表示する表示装置キーボード１０３は操作者よりの各種指示データなどを入力する入力装置、ＲＯＭｌ０４は処理プログラムなどを記憶する記憶装置ＲＯＭｌ０５は各種処理結果を一時的に記憶する記憶装置、記憶装置１０６はプログラムやデータなどを記憶するハードディスクドライブ（ＨＤＤ）などの記録装置、通信インタフェース１０７は外部の装置と通信回線１１１を介して通信するための装置である。
【００１２】
ポインティング装置１０８は、入力補助手段としてのマウスなどのポインティング装置である。
【００１３】
画像入力装置１０９はＣＣＤなどのイメージセンサーを含み、被写体を撮影してデジタル画像信号を生成する画像入力装置である。これらの各構成は、内部バス１１０を介して接続されている。本発明で説明されるプリンタは１１１を介して接続するものとする。
【００１４】
２図は、プリンタの機構をしめすものである。
【００１５】
２０１は印刷時に第Ｎ回目の印刷制御を行う情報を紙面に記録する印刷機構である。
【００１６】
この部分はインクジェットプリンタの記録部をそのまま流用してもいいし、また、流用せずに、独立した記録機構をもたせることも可能である。
【００１７】
２０２は２０１で記録した、第Ｎ回目の印刷制御を行う制御情報を取得するためのセンサーである。このセンサーは２０１に印字ヘッドの記録領域と同一の記録情報を読み取れる、ラインセンサーである。
【００１８】
２０３は２０２と同一のものを、下部にもうけたものである。
【００１９】
このセンサーは磁気方式であっても、バーコード方式であっても、光学的な非接触であってもパンチされた穴情報を読み取る、機械方式であってもよい。
【００２０】
以上の構成を備える本発明の第一の実施形態における紙種類を判別するための処理を図３のフローチャートを参照して以下に説明する。
【００２１】
ここでは、１枚ずつ単独で両面印字を行う場合を例に説明する。
【００２２】
まずステップＳｌで１回目に印刷する内容と印刷制御情報を取得する。
【００２３】
次にステップＳ２で紙の余白部に裏面を印刷するさいに使用する印刷制御情報と印刷内容を印字する。
【００２４】
印刷制御情報、Ａ１２、Ｂｌ０、Ｃ３、Ｄ３であり、以下に順をおって説明する。
【００２５】
Ａ１２は裏面がインクジェット用の特殊コートされた紙であることをあらわす。Ｂｌ０は画像情報の場合は高画質モードで印刷し、それ以外では、ドラフト印刷することを示す。Ｃ３は東京太郎氏に対するコメントを指定する記号である。Ｄ３は東京太郎氏の郵便番号、住所を示す記号である。Ｃ３が判別できればＤ３は不必要な情報であるが、ここではＣ３が判別できない場合も想定して、印刷制御情報として、記載することにした。
【００２６】
これらの情報は、あらかじめ、図７に示された一覧表になって第１図のＲＡＭｌ０５もしくは記憶装置１０６にあらかじめ格納されているものである。
【００２７】
以上ステップＳｌでは図３にしめすように、第１回目の印刷で、郵便番号、住所、氏名を表面に印刷した場合において今後予定される、印刷を制御する記号Ａ１２、Ｂｌ０、Ｃ３、Ｄ３をあわせて印刷する。
【００２８】
ここで説明にもちいた印刷制御情報Ａ１２、Ｂｌ０、Ｃ３、Ｄ３は簡単のために用いたが、われわれが見ても識別できない、バーコードや磁気化やＩＣチップメモリ化や印刷時に用いる誤差拡散のなかに、埋め込むなど、その記号化、暗号化、黙視化は現在知られているものでも十分実現可能であることは明白である。
【００２９】
これ以降は２回目の紙が挿入された場合の説明をする。
【００３０】
次にステップＳ３でＳ２で印刷した印刷制御情報を読み取リセンサ部、図２、２０３を用いて取得する。
【００３１】
次にステップＳ４でＳ３で制御情報が取得できたかできないかを判断する。
【００３２】
取得できた場合はステップＳ５に行き、取得できない場合はＳ８に行く。ステップＳ８では印刷を中止し、紙の再入力を促す。次にステップＳ５においてＳ２で取得した、印刷制御情報の中の１つの記号Ａ１２により、印刷面がインクジェット用の特殊コート紙であると判断し特殊コート用の印刷制御方式で印刷準備をする。
【００３３】
次にステップＳ６においてＳ３で取得した、印刷制御情報Ｂｌ０により、印字内容がカラー指定されていた場合にはＦＩＮＥモードで印刷し、それ以外の文字情報などの場合はドラフトモードで印刷する。
【００３４】
次にステップＳ７においてＳ３で取得した、あて先情報Ｄ３により、東京太郎氏に対する、年始Ｃ３を印刷する制御を行う。
【００３５】
この機能により、宛先がどのような順番できても、東京太郎氏のあて先情報Ｄ３に対する新年の言葉、年始Ｃ３を間違えることなく印刷することが可能である。
【００３６】
次に同一面に多重印刷する場合を例に説明をする。
【００３７】
上記の実施形態では、裏面に印刷する年始のあいさつの言葉、年始Ｃ３は各あて先情報Ｄ３により変化する場合を例にしめしたが、Ｎ回目に印刷する制御情報をあらかじめ用意されてテーブルをもとに、そのテーブルをアクセス可能とならしめる参照するためのインデックス情報を記録しＮ回目に印刷すべき面、方向、内容、印刷制御をすべて、第１回目で記録した印刷制御情報をもとに、実現する。
【００３８】
図８にしめすように宛先情報−Ｄ３にある東京太郎氏に対する、記載情報をテーブルとして全て管理することで印刷する場所やその属性、内容まで管理する。以下に
【００３９】
【表１】
2004034294.tif 000003
【００４０】
を例にとり説明する。
【００４１】
宛先情報−Ｄ３は宛名であり、東京太郎さんに対するコメントや制御情報がテーブル化されて用意されておリＫＥＹ　ＷＯＲＤにあたいする部分である。
【００４２】
あいさつ文字列Ｄ３は東京太郎さんに対する言葉を示している。
【００４３】
あいさつ位置Ｄ３は文字列の印刷を開始する先頸の位置座標を示す値である。
【００４４】
あいさつ領域Ｄ３は文字列が展開される領域の大きさを示す値である。
【００４５】
あいさつ文字属性Ｄ３は文字列のＦＯＮＴ種別、大きさ、色をしめすものである。
【００４６】
あいさつ印字モードＤ３は領域の属性をしめすものであり、イメージであればＦＩＮＥ、文字であればドラフトなどを制御する。
【００４７】
次に図５により、多重印刷の具体的な実施形態を説明する。
【００４８】
図５０１で示すようにまず第１回目にあいさつ文１０を印刷する。
【００４９】
この時同時に印刷カウンター情報１１が１個の★印として記録される。
【００５０】
次に図５０２にしめす第２回目の印刷を実施する。
【００５１】
第２回目にハガキをプリンターに装填すると、識別コード１１を上部読み取り装置２０２が読み取る。このとき、印刷回数識別コードが★１個検出されれば正常なので事前に設定されたテーブルにもとずいて文１２，文１３の印刷が行われる。
【００５２】
しかし識別コードが検出できない場合、ハガキの装填方向が間違えているため、図３のフローチャートと同様に印刷を中止する。
【００５３】
また印刷が正常に行われると、印刷回数識別コード１４が追加される。
【００５４】
このように順次多重印刷を正常な向きかつ順序で行うことができる。
【００５５】
事前に設定された印刷回数により、印刷回数識別コード（★印）の数が決定されているので★印情報をもとに、あらかじめ用意された印刷制御が可能となる。
【００５６】
以上説明した印刷制御もしくは印刷データ情報群はそれぞれをテーブル化してあらかじめ、図７に示された一覧表になって第１図のＲＡＭｌ０５もしくは記憶装置１０６にあらかじめ格納されているものである。
【００５７】
（第２の実施形態）
第１の実施形態では、印字有効範囲以外の領域に紙識別情報を付加し紙種別を判別した。
【００５８】
しかしこれでは、写真など、全面に印刷する場合には写真そのものの価値を損じるおそれもある。
【００５９】
そこで第２に実施形態としては、人間の目には見えない赤外線等に反応する特殊塗料を紙面に塗布することで、紙の種類の識別を行うことにする。
【００６０】
これにより、第１の実施形態と同じ印刷制御をすることで紙の挿入と、最適な印字パラメータで正確な制御が可能となり印刷物に対しても見た目には紙の識別情報は見えない利点がある。
【００６１】
（第３の実施形態）
アルバム等の両面印刷を連続して行う例を説明する。
【００６２】
両面連続印刷の場合、紙の反転機構を有していれば、全て自動でミスなく連続印字が可能である。
【００６３】
しかし、機構的には複雑となリコストもかかる。
【００６４】
本発明は表印刷後手動で反転して、再印字する場合さらに１枚づつ、表、裏印字を行うのではなく片面のみ先行して連続印刷し、かつ反転させて裏面の印刷を可能とするものである。
【００６５】
図６に３枚のアルバムを連続印刷の例を示す。
【００６６】
まず、３枚全ての紙に表印字を実施する。
【００６７】
その時１枚日の表印刷時に裏面印刷識別コード「ｘｘ１」を同時に印刷する。
【００６８】
同様に２、３枚目の表印字を連続して行う。この時の印字データは表、裏それぞれに対応した状態で図１ＲＯＭｌ０４にあらかじめ設定したおいたもので、順次行われる。
【００６９】
３枚日の表印字完了後に手動で紙の反転動作行うが、この時、紙反転方向、および印字順序にミスが発生しやすかった。
【００７０】
本発明ではあらかじめ表側に印字してあった識別コード「ｘｘ１」を下部読み取リセンサー２０３にて確認して裏面印刷を行うので、紙の装填方向がまちがっていれば図３のフローチャートで示したごとく印刷が中止される。また装填順序が変更されても、識別コードにより、表面に対応した裏面印刷が可能となった。
【００７１】
【発明の効果】
以上説明したように、本出願にかかる第一の発明によれば、印刷時、第１回目に印刷すべき情報と共に、裏面を印字するための識別コード情報を余白部に印字し、裏面を挿入時にその識別コード情報を読み取って、そのメディアのセット状態を確認し紙の挿入方向を判断することが可能なはがきなどの特殊用途向けに開発された専用紙の誤挿入をふせぎ、さらには紙に最適な印刷制御を自動選択可能となり人間が介在することによる印刷ミスを事前に防ぐことが可能となる。
【００７２】
また裏面に対する２回目以降の印刷においても同様に、第Ｎ回目の紙挿入時にその識別コード情報を読み取って、紙のセット状態を確認し、紙の挿入方向の誤操作をふせぎ、第Ｎ回目の印刷内容を把握し、印刷することが可能となる。
【００７３】
本出願にかかる第二の発明によれば、紙の識別情報を目に見えない塗料で判別することで印刷物に紙識別情報が現れない利点がある。
【００７４】
本出願にかかる第三の発明によればアルバム等の両面印刷を連続して行う場合表面を印刷してから、手動などで反転させて、裏面を印刷する場合裏面の印刷順序と、表面の印刷順序がことなる場合に、表面に印刷された印刷制御情報を裏面印刷時に取得し、判断することで、表面に対する裏面の内容を正確に印刷することが可能となる。
【図面の簡単な説明】
【図１】本発明の実施形態における画像処理装置の構成を示すブロック図である。
【図２】本発明の実施形態におけるプリンタ装置の構成を示すブロック図である。
【図３】本発明の第１の実施形態の制御の流れを示す図である。
【図４】本発明の第１の実施形態を年賀はがきを用いて示した図である。
【図５】本発明の第３の実施形態を年賀はがきを用いて示した図である。
【図６】本発明の第３の実施形態の印刷順列を示した図である。
【図７】本発明の第１の実施形態の内部管理情報を示した図である。
【図８】本発明の第３の実施形態の内部管理情報を示した図である。
【符号の説明】
１１　印刷回数制御情報
１４　印刷回数制御情報
１５　印刷回数制御情報
１０１　ＣＰＵ
１０２　ディスプレイ
１０３　キーボード
１０４　ＲＯＭ
１０５　ＲＡＭ
１０６　記憶装置
１０７　通信インタフェース
１０８　ポインティング装置
１０９　画像入力装置
１１０　内部バス
１１１　通信回路
２０１　印字ヘッド
２０２　上部読み取りセンサー
２０３　下部読み取リセンサー
【図１】
2004034294.tif 000004
【図２】
2004034294.tif 000005
【図３】
2004034294.tif 000006
【図４】
2004034294.tif 000007
【図５】
2004034294.tif 000008
【図６】
2004034294.tif 000009
【図７】
2004034294.tif 000010
【図８】
2004034294.tif 000011